(57)【要約】【課題】ＰＤＰの表示画像のコントラストを強調する際に前記表示画像が飽和状態に達することを防止する。【解決手段】Ａ／Ｄ変換部３はＰＤＰ１の画素を表示するための映像信号ａを入力するとｎビットデータにＡ／Ｄ変換し、γ逆補正部４はそのＡ／Ｄ変換されたｎビットデータをγ逆補正する一方、ゲイン調整部９はγ逆補正されたｎビットデータを増幅する。ここで、比較部１０はゲイン調整部の出力データ値とＡ／Ｄ変換部の出力データ値との大小を比較し値の小さいデータを選択的に出力処理部５に出力し、出力処理部５からＰＤＰ１に出力させ、画像として表示させる。【選択図】　　　　図１
2004020991.tif 000002
【特許請求の範囲】
【請求項１】
複数の画素がマトリクス状に配列された表示パネルを備えるとともに、前記表示パネルの１画面の表示期間を表す１フィールド期間を前記画素の発光期間がそれぞれ重み付けされたｎ個以上のサブフィールドに分割し、分割したｎ個以上のサブフィールドにより２ｎ階調表示を行う階調表示装置の表示信号処理回路において、
映像信号をγ逆補正するγ逆補正部と、
前記γ逆補正部によりγ逆補正された信号を増幅する増幅部と、
前記増幅部の出力信号と、前記γ逆補正部への入力信号との大小を比較し値の小さい信号を選択的に出力する比較部と、
前記比較部の出力を表すｎビットデジタルデータをもとに前記画素の２ｎ階調表示を行う信号処理部と
を有することを特徴とする階調表示装置の表示信号処理回路。
【請求項２】
請求項１において、
前記映像信号を調整する調整手段と、
前記調整手段により調整された調整データのオフセット値を補正する補正手段と
を備え、
前記比較部は、
前記γ逆補正部への入力信号に代えて前記補正手段によりオフセット値が補正された信号と、前記増幅部の出力信号とを比較し、値の小さい信号を選択的に出力することを特徴とする階調表示装置の表示信号処理回路。
【請求項３】
複数の画素がマトリクス状に配列された表示パネルを備えるとともに、前記表示パネルの１画面の表示期間を表す１フィールド期間を前記画素の発光期間がそれぞれ重み付けされたｎ個以上のサブフィールドに分割し、分割したｎ個以上のサブフィールドにより２ｎ階調表示を行う階調表示装置の表示信号処理回路において、
映像信号を増幅する増幅部と、
前記増幅部により増幅された信号をγ逆補正するγ逆補正部と、
前記γ逆補正部によりγ逆補正された信号と、前記増幅部への入力信号との大小を比較し値の小さい信号を選択的に出力する比較部と、
前記比較部の出力を表すｎビットのデジタルデータをもとに前記画素の２ｎ階調表示を行う信号処理部と
を有することを特徴とする階調表示装置の表示信号処理回路。
【請求項４】
請求項３において、
前記映像信号を調整する調整手段と、
前記調整手段により調整された調整データのオフセット値を補正する補正手段と
を備え、
前記比較部は、
前記増幅部への入力信号に代えて前記補正手段によりオフセット値が補正された信号と、前記γ逆補正部の出力信号とを比較し、値の小さい信号を選択的に出力することを特徴とする階調表示装置の表示信号処理回路。
【発明の詳細な説明】
【０００１】
【発明の属する技術分野】
本発明は、階調表示を行うプラズマディスプレイ等の階調表示装置の表示信号処理回路に関する。
【０００２】
【従来の技術】
各画素がマトリクス状に形成された表示装置、例えばプラズマディスプレイパネル（以下、ＰＤＰ）の階調表示を行うＰＤＰ表示装置では、ＰＤＰの表示を行う場合、１／６０秒に相当する１フレーム期間（表示パネル（ＰＤＰ）の１画面を表示する期間：１フィールド期間）を、画素の点灯期間である維持発光期間の相対比がそれぞれ異なる複数のサブフィールドにより構成している。
【０００３】
図７の例は、１フレーム期間が８個のサブフィールドＳＦ１〜ＳＦ８により構成され、８個の階調ビットにより２５６階調表示を行う例である。
即ち、最下位の階調ビット（１ビット目）がサブフィールドＳＦ１に対応するとともに、以下順に、２ビット目の階調ビットがサブフィールドＳＦ２に、３ビット目の階調ビットがサブフィールドＳＦ３に、４ビット目の階調ビットがサブフィールドＳＦ４に、５ビット目の階調ビットがサブフィールドＳＦ５に、６ビット目の階調ビットがサブフィールドＳＦ６に、７ビット目の階調ビットがサブフィールドＳＦ７にそれぞれ対応し、最上位の階調ビット（８ビット目）がサブフィールドＳＦ８に対応する。
【０００４】
このように各サブフィールドＳＦ１〜ＳＦ８では、維持発光期間がそれぞれ階調数（発光輝度の相対比：維持発光パルス数に比例）１（＝２０　），２（＝２１　），４（＝２２　），８（＝２３　），１６（＝２４　），３２（＝２５　），６４（＝２６　），１２８（＝２７　）　として重み付けされている。
【０００５】
ここで、各サブフィールドＳＦ１〜ＳＦ８は維持発光期間の他に走査期間を有している。
サブフィールドＳＦ１の走査期間では、最下位ビット（１ビット目）の表示データに対応するＰＤＰ１の各画素への前記表示データの書き込みを行う。そしてＰＤＰ１の全画面の表示データの書き込みが終了すると、維持発光期間ではＰＤＰの全画面に維持発光パルスを例えば１回印加して書き込みが行われた画素だけ発光表示させる。
【０００６】
次に、サブフィールドＳＦ２の走査期間では、２ビット目の表示データに対応する各画素への表示データの書き込みを行う。そしてＰＤＰ１の全画面の書き込みが終了すると、維持発光期間ではＰＤＰ１の全画面に維持発光パルスを例えば２回印加して、書き込みが行われた画素だけ発光表示させる。以下、サブフィールドＳＦ３，ＳＦ４，ＳＦ５，ＳＦ６，ＳＦ７，ＳＦ８についても、走査期間ではそれぞれ対応するビットの表示データに応じた各画素への表示データの書き込みを行い、これが終了すると、次の維持発光期間では維持発光パルスをそれぞれ４回，８回，１６回，３２回，６４回，１２８回印加して書き込みが行われた画素だけ発光表示させる。
【０００７】
図８は、こうした２５６階調表示を行うＰＤＰ表示装置の一例を示すブロック図である。このＰＤＰ表示装置は、ＰＤＰ１と、ゲイン調整部２と、Ａ／Ｄ変換部３と、γ逆補正部４と、出力処理部５と、同期分離部６と、タイミングパルス発生部７と、駆動タイミング発生部８とからなる。
【０００８】
ここで、ゲイン調整部２は、映像信号ａを入力すると、この映像信号ａのレベルを調整し、Ａ／Ｄ変換部３に出力する。Ａ／Ｄ変換部３は、このレベル調整された映像信号ａをＡ／Ｄ変換し８ビット表示データとしてγ逆補正部４に出力する。γ逆補正部４は、ＣＲＴの発光特性と互換性を保つためにその８ビットデータをγ逆補正し、出力処理部５に出力する。出力処理部５はそのγ逆補正されたデータをＰＤＰ１の画素の表示データとしてＰＤＰ１のデータ電極に出力する。
【０００９】
一方、同期分離部６は、映像信号ａから同期信号を分離しタイミングパルス発生部７に出力する。タイミングパルス発生部７は同期分離部６により抽出された垂直同期信号をもとにＡ／Ｄ変換部３のＡ／Ｄ変換の際のタイミングを含む各種タイミング信号を生成し、Ａ／Ｄ変換部３及び駆動タイミング発生部８に送信し、Ａ／Ｄ変換部３にＡ／Ｄ変換させる一方、駆動タイミング発生部８は、タイミングパルス発生部７からのタイミング信号に基づき前述のサブフィールドのタイミングや、ＰＤＰ１の各走査電極及び維持電極を駆動するためのパルス信号などを生成しＰＤＰ１に出力する。これにより、ＰＤＰ１の２５６階調表示が行われる。
【００１０】
【発明が解決しようとする課題】
このようにＰＤＰ表示装置では、ＰＤＰ１の階調表示能力が８ビットの場合は、１フレーム期間を８個のサブフィールドＳＦ１〜ＳＦ８により構成するとともに、映像信号ａを８ビット表示データにＡ／Ｄ変換しさらにγ逆補正したデータについて、８個のサブフィールドにより最大２５６階調の表示を行うようにしている。ところで、こうしてＰＤＰ１に表示された画像のうち、暗い画像部分（即ち、ＡＰＬ（Ａｖｅｒａｇｅ　Ｐｉｃｔｕｒｅ　Ｌｅｖｅｌ）が低レベルの部分）では的確な階調表示が行えないことから、コントラスト（明暗の差）を強調する必要がある。ここで、ゲイン調整部２により映像信号ａのレベルを増幅することによって、コントラストを強調しようとすると、映像信号ａのレベルがもともと高レベルの場合はゲイン調整部２の増幅レベルがＡ／Ｄ変換部３の入力レベルを越えることがあり、このような場合は、Ａ／Ｄ変換部３はその過大入力によりその出力レベルが飽和状態となる。そして、このＡ／Ｄ変換部３の飽和によりＰＤＰ１上で表示される画像も飽和状態に達し、「白つぶれ」と呼ばれる現象が発生する。
【００１１】
こうしたＰＤＰ１上での表示画像の飽和に基づく前述の「白つぶれ」現象は、前述の例の他に、γ逆補正部４の出力信号を例えばゲイン調整部２により増幅した場合、或いはＡ／Ｄ変換器３の出力をゲイン調整部２により増幅した後、これをγ逆補正部４によりγ逆補正を行った場合についても、同様に発生する。
したがって、本発明は、ＰＤＰの表示画像のコントラストを強調する際に前記表示画像が飽和状態に達することを防止し、コントラストが的確に強調された画像を表示可能にすることを目的とする。
【００１２】
【課題を解決するための手段】
このような課題を解決するために本発明は、複数の画素がマトリクス状に配列された表示パネルを備えるとともに、表示パネルの１画面の表示期間を表す１フィールド期間を前記画素の発光期間がそれぞれ重み付けされたｎ個以上のサブフィールドに分割し、分割したｎ個以上のサブフィールドにより２ｎ　階調表示を行う階調表示装置の表示信号処理回路において、映像信号をγ逆補正するγ逆補正部と、前記γ逆補正部によりγ逆補正された信号を増幅する増幅部と、前記増幅部の出力信号と、前記γ逆補正部への入力信号との大小を比較し値の小さい信号を選択的に出力する比較部と、前記比較部の出力を表すｎビットデジタルデータをもとに前記画素の２ｎ階調表示を行う信号処理部とを備えるものである。
ここでγ逆補正部に入力される映像信号は、Ａ／Ｄ変換部によりｎビットデータに変換されていてもよい。
また、前記映像信号を調整する調整手段（ゲイン調整部９Ａ）と、前記調整手段により調整された調整データのオフセット値を補正する補正手段（オフセット補正部１１）とを設け、前記比較部は、前記γ逆補正部への入力信号に代えて前記補正手段によりオフセット値が補正された信号と、前記増幅部の出力信号とを比較し、値の小さい信号を選択的に出力するようにしてもよい。
【００１３】
また、本発明は、映像信号を増幅する増幅部と、前記増幅部により増幅された信号をγ逆補正するγ逆補正部と、前記γ逆補正部によりγ逆補正された信号と、前記増幅部への入力信号との大小を比較し値の小さい信号を選択的に出力する比較部と、前記比較部の出力を表すｎビットのデジタルデータをもとに前記画素の２ｎ階調表示を行う信号処理部とを備えるものである。
【００１４】
この場合、映像信号を調整する調整手段（ゲイン調整部９Ａ）と、調整手段により調整された調整データのオフセット値を補正する補正手段（オフセット補正部１１）とを設け、比較部は、前記増幅部への入力信号に代えて補正手段によりオフセット値が補正された信号と、前記γ逆補正部の出力信号とを比較し、値の小さい信号を選択的に出力するようにしてもよい。
【００１５】
【発明の実施の形態】
以下、本発明について図面を参照して説明する。
一般に、プラズマディスプレイパネル（以下、ＰＤＰ）の表示を行う階調表示装置では、１フレーム期間（１画面の表示期間を示す１フィールド期間）を、維持発光期間がそれぞれ重み付けされた複数のサブフィールドに分割するとともに、入力したアナログ映像信号をＡ／Ｄ変換してサブフィールド数に応じたビット数のデジタルデータとし、変換したビットデータに応じたサブフィールドによりＰＤＰの対応の画素を発光させて所定の階調の画像を得るようにしている。
【００１６】
図１は、本発明を適用したＰＤＰの表示装置の構成を示すブロック図である。図１において、本ＰＤＰ表示装置は、ＰＤＰ１と、Ａ／Ｄ変換部３と、γ逆補正部４と、出力処理部５と、同期分離部６と、タイミングパルス発生部７と、駆動タイミング発生部８と、ゲイン調整部９と、比較部１０とから構成される。
【００１７】
ここで、Ａ／Ｄ変換部３は、画像を表示させるための映像信号ａのレベルをＡ／Ｄ変換し８ビット表示データとして出力する。γ逆補正部４は、ＲＯＭテーブルを有し、ＣＲＴの発光特性と互換性を保つためにその８ビット表示データをγ逆補正するものである。ゲイン調整部９は、γ逆補正部１３によりγ逆補正されたデータを増幅する増幅部として作用するものである。比較部１０は、ゲイン調整部９により増幅されたデータとＡ／Ｄ変換部３によりＡ／Ｄ変換された映像信号（表示データ）とを入力してレベルの小さいデータを常に出力する、出力処理部５は比較部１０から出力されたｎビットのデジタルデータをＰＤＰ１の各画素の表示データとしてＰＤＰ１のデータ電極に出力する。
【００１８】
同期分離部１６は、入力信号ａから同期信号を分離する。タイミングパルス発生部７は同期分離部６により抽出された垂直同期信号をもとにＡ／Ｄ変換部３によるデータ変換の際のタイミング等の各種タイミング信号を生成する。駆動タイミング発生部８は、タイミングパルス発生部７のタイミング信号に基づき前述のサブフィールドのタイミングや、ＰＤＰ１の各走査電極及び維持電極を駆動するためのパルス信号などを生成しＰＤＰ１に出力する。
【００１９】
一般に、この種のＰＤＰ表示装置は、周知のように、映像信号ａをＡ／Ｄ変換部１２によりＡ／Ｄ変換して８ビットの表示データにした後、この８ビット表示データをＣＲＴの発光特性と互換性を保つためにγ逆補正部４によりγ逆補正を行っている。本実施の形態では、γ逆補正されたデータについて図７に示すような、発光期間がそれぞれ階調数１（＝２０　），２（＝２１　），４（＝２２　），８（＝２３　），１６（＝２４　），３２（＝２５　），６４（＝２６　），１２８（＝２７　）として重み付けされた８個のサブフィールドＳＦ１〜ＳＦ８によりＰＤＰ１内の各画素の２５６（＝２８　）階調表示を実現するものである。
【００２０】
図２は、Ａ／Ｄ変換部３の入出力特性及びγ逆補正部４の入出力特性をそれぞれ表す図である。
映像信号ａを入力してＡ／Ｄ変換するＡ／Ｄ変換部３では、最小レベル「０」から、このＡ／Ｄ変換部３で変換可能な最大レベル「２５５」までの範囲の映像信号ａを入力すると、図２に示すように、入力した映像信号ａのレベルの大小に応じてその出力レベルがリニアに変化するようなＡ／Ｄ変換を行い８ビットのＡ／Ｄ変換データｂとして出力する。また、Ａ／Ｄ変換部３の出力データを入力してγ逆補正するγ逆補正部４では、図２に示すように、入力データ（即ち、Ａ／Ｄ変換部３の出力データｂ）のレベルが最大値のほぼ１／２（即ち、値「１２６」）までの間はその出力レベルは小さく、入力データのレベルが最大値の１／２を越えるとその出力レベルが急激に大きくなるようなγ逆補正演算を行ってデータｃとして出力する。
【００２１】
ここで、γ逆補正部４によりγ逆補正されたデータを出力処理部５がそのまま処理してＰＤＰ１に表示すると、低レベルの映像信号ａの場合はγ逆補正部４の出力が低レベルであることから、ＰＤＰ１の表示画像は低輝度となって暗くなり的確な階調表示を行うことができない。
【００２２】
そこで、γ逆補正部４によりγ逆補正されたデータについて、ゲイン調整部９により増幅する。ここで、ゲイン調整部９による増幅後のレベルは、図３に示すような波形の信号ｄとなり、γ逆補正部４によりγ逆補正された低レベルのデータ（即ち、値の小さいデータ：低輝度データ）については的確に増幅でき、したがって低輝度画像についてはコントラストを強調した表示を行うことができる。しかしながら、γ逆補正部４によりγ逆補正された高レベルのデータ（即ち、値の大きいデータ：高輝度データ）を増幅するとその増幅レベルが、「０」レベルから「２５５」レベルまでの範囲の値の入力データをもとに２５６階調表示を行うＰＤＰ１の前記入力データのレベル範囲を越えることになり、その結果、以下のような問題が生じる。
【００２３】
すなわち、γ逆補正部４によりγ逆補正されたデータのレベルが図３に示すように、値「２１６」になると、ゲイン調整部９の増幅レベルはＰＤＰ１の最大入力レベル値「２５５」に達し、以降、γ逆補正部４の出力データのレベルが値「２１６」から値「２２４」，「２４０」と上昇してもゲイン調整部９の増幅レベルはＰＤＰ１の最大入力レベル値「２５５」を維持している。こうしたゲイン調整部９の増幅データの飽和により、この増幅データに対応するＰＤＰ１の表示画面中の高輝度部分の画像も飽和状態となり「白つぶれ」と呼ばれる現象が発生する。
【００２４】
このため、比較部１０は、γ逆補正後の信号を増幅したゲイン調整部９の増幅データｄと、γ逆補正部４への入力信号であるＡ／Ｄ変換部３からのＡ／Ｄ変換データｂとの間のレベルの大小を比較し、レベルの小さいデータを選択して出力処理部５に送出する。すなわち、比較部１０は、図４に示すように、最小出力レベル点Ｂから、Ａ／Ｄ変換部３の出力データｂとゲイン調整部９の出力データｄとが交わる交点Ｃまでの間は、増幅されたγ逆補正後の信号であるゲイン調整部９の出力データｄを選択するとともに、前記交点Ｂから最大出力レベル点Ａまでの間は、γ逆補正前の信号、すなわちＡ／Ｄ変換部３の出力データｂを選択して、これらの選択データｂまたはｄを出力データｅとして出力処理部５へ出力する。そして、出力処理部５がこの出力データｅをＰＤＰ１のデータ電極に出力することにより、ＰＤＰ１の低輝度画像については勿論、高輝度画像についても、「白つぶれ」が発生しない、コントラストが強調された表示を行うことができる。
【００２５】
また、Ａ／Ｄ変換部３によりＡ／Ｄ変換されリニアに変化するデータｂの最大出力レベル点Ａを固定点としてそのデータｂの傾きを、図４の点線で示すデータｆのように可変することで、前述した「白つぶれ」の視覚的効果を可変することも可能である。
【００２６】
具体的には、図５に示すように、Ａ／Ｄ変換部３のＡ／Ｄ変換データ（Ａ／Ｄ変換された映像信号）ｂを増幅するゲイン調整部９Ａと、ゲイン調整部９Ａの増幅データのオフセット値を補正するオフセット補正部１１を設け、ゲイン調整部９Ａのゲインを調整することによりデータｂの傾きを決定し、オフセット補正部１１によりオフセット値を与えることにより、オフセット値が補正された補正データを図４に示すデータｆとして比較部１０に与える。この場合、比較部１０は、同様に、このオフセット補正部１１からのデータｆのレベルと、Ａ／Ｄ変換データｂをγ逆補正しさらにそのγ逆補正されたデータを増幅したデータｄのレベルとを比較し、レベルが小さい方のデータを選択出力する。すなわち、データｆとデータｄとが交わる図４の交点Ｄまでの間は、レベルの小さいゲイン調整部９からのデータｄを選択出力するとともに、前記交点Ｄから最大出力レベル点Ａまでの間も、同様にレベルの小さいオフセット補正部１１からのデータｆを選択出力し、これら選択したデータｄまたはｆを出力データｅ’として出力処理部５へ出力する。そして、出力処理部５がこの出力データｅ’をＰＤＰ１のデータ電極に出力することにより、同様に「白つぶれ」の発生が防止され、かつコントラストが強調された画像を表示することができる。
【００２７】
なお、本実施の形態では、図１に示すように、Ａ／Ｄ変換部３により映像信号をＡ／Ｄ変換された表示データをγ逆補正部４によりγ逆補正し、そのγ逆補正データをゲイン調整部９が増幅するとともに、その増幅データとＡ／Ｄ変換部３のＡ／Ｄ変換データとを比較部１０が比較してレベルの小さい方のデータを出力するようにしたが、図６に示すように、Ａ／Ｄ変換部３によりＡ／Ｄ変換された映像信号（表示データ）を増幅部として作用するゲイン調整部９により増幅し、その増幅データをγ逆補正部４がγ逆補正するとともに、そのγ逆補正データと増幅およびγ逆補正前の信号であるＡ／Ｄ変換部３のＡ／Ｄ変換データとを比較部１０が比較してレベルの小さいデータを出力するように構成しても同様の効果を期待できる。
【００２８】
この場合、図５に示すように、Ａ／Ｄ変換部３のＡ／Ｄ変換データｂを増幅するゲイン調整部９Ａと、ゲイン調整部９Ａの増幅データのオフセット値を補正するオフセット補正部１１を設け、オフセット補正部１１によりオフセット値が補正された補正データｆを比較部１０に与え、比較部１０が、オフセット補正部１１からの補正データｆのレベルと、γ逆補正部４によりγ逆補正されたデータのレベルとを比較してレベルが小さい方のデータを選択出力することによっても、同様に、「白つぶれ」の発生が防止され、かつコントラストが強調された画像を表示できる。
また、上述した実施の形態においては、ｎ＝８とした場合を例にとり、８ビットのデジタルデータから２５６（＝２８　）階調表示を８個に分割されたサブフィールドによって行う場合について説明したが、本発明において分割されたサブフィールドの個数は、階調表示に係わるデジタルデータのビット数（ｎ）以上であればよく、必ずしも前記デジタルデータのビット数と同じである必要ではない。したがって、例えば、ｎ＝８ビットのデジタルデータから１２個のサブフィールドによって２５６階調表示しても良いことは云うまでもない。
【００２９】
【発明の効果】
以上説明したように本発明によれば、画素を表示するための映像信号を入力するとｎビットデータにＡ／Ｄ変換するＡ／Ｄ変換部と、Ａ／Ｄ変換部によりＡ／Ｄ変換されたｎビットデータをγ逆補正するγ逆補正部と、γ逆補正部によりγ逆補正されたｎビットデータを増幅する増幅部と、比較部とを備え、比較部は増幅部の出力データの値とＡ／Ｄ変換部の出力データの値との大小を比較し値の小さいデータを選択的に出力するとともに、この出力データに基づき前記画素の階調表示を行うようにしたので、ＰＤＰ等の表示パネル上の表示画像のコントラストを強調する際に前記表示画像が飽和状態に達することを防止でき、この結果、コントラストが的確に強調された画像を表示パネル上に表示できる。
また、本発明は、Ａ／Ｄ変換部によりＡ／Ｄ変換されたｎビットデータを増幅する増幅部と、増幅部により増幅されたｎビットデータをγ逆補正するγ逆補正部と、比較部とを備え、比較部はγ逆補正部によりγ逆補正されたデータの値とＡ／Ｄ変換部の出力データの値との大小を比較し値の小さいデータを選択的に出力するようにしたので、同様に表示パネル上の表示画像を飽和状態にさせずに、前記表示画像のコントラストを強調できる。
【図面の簡単な説明】
【図１】本発明を適用したＰＤＰ表示装置の第１の構成を示すブロック図である。
【図２】上記表示装置を構成するＡ／Ｄ変換部及びγ逆補正部のそれぞれの入出力特性を示す図である。
【図３】上記表示装置を構成するＡ／Ｄ変換部及びゲイン調整部のそれぞれの入出力特性を示す図である。
【図４】上記表示装置を構成するＡ／Ｄ変換部及び比較部のそれぞれの入出力特性を示す図である。
【図５】上記表示装置の第２の構成を示すブロック図である。を構成するＡ／Ｄ変換部及び比較部のそれぞれの出力波形を示す図である。
【図６】上記表示装置の第３の構成を示すブロック図である。
【図７】上記表示装置におけるＰＤＰのサブフィールドの配列構成を示す示す図である。
【図８】従来のＰＤＰ表示装置のブロック図である。
【符号の説明】
１…ＰＤＰ、３…Ａ／Ｄ変換部、４…γ逆補正部、５…出力処理部、６…同期分離部、７…タイミングパルス発生部、８…駆動タイミング発生部、９，９Ａ…ゲイン調整部、１０…比較部、１１…オフセット補正部。
【図１】
2004020991.tif 000003
【図２】
2004020991.tif 000004
【図３】
2004020991.tif 000005
【図４】
2004020991.tif 000006
【図５】
2004020991.tif 000007
【図６】
2004020991.tif 000008
【図７】
2004020991.tif 000009
【図８】
2004020991.tif 000010